(57)【要約】  天地方向が記録されている画像データを、画像回転機能に対応していない撮影装置外の機器へ送出する場合であっても、適切な天地方向で画像を表示可能とする。撮影装置は、撮影部と、撮影部を用いて撮影された画像の画像データに撮影時の天地方向を示すデータを付加して保存する付加部と、画像データを外部機器に送出する送出部と、画像データを外部機器に送出するのに先立って、画像データに対応した画像の天地方向を回転する編集部とを備える。
2012039311.tif 000002
【特許請求の範囲】
【請求項１】
撮影部と、
前記撮影部を用いて撮影された画像の画像データに撮影時の天地方向を示すデータを付加して保存する付加部と、
前記画像データを外部機器に送出する送出部と、
前記画像データを前記外部機器に送出するのに先立って、前記画像データに対応した前記画像の前記天地方向を回転する編集部と
を備える撮影装置。
【請求項２】
前記編集部は、
前記画像データに付加されている前記天地方向を示すデータに基づいて前記画像データに対応した前記画像の前記天地方向を回転する、
請求項１に記載の撮影装置。
【請求項３】
前記編集部において前記画像データに対応した前記画像の前記天地方向を回転するか否かを選択する選択部を更に備え、
前記編集部は、
前記選択部において回転が指定された場合に前記画像データに対応した前記画像の前記天地方向を回転し、前記選択部において回転が指定されない場合に前記画像データに対応した前記画像の前記天地方向を回転しない、
請求項１または２に記載の撮影装置。
【請求項４】
前記編集部において前記画像データに対応した前記画像の前記天地方向を回転する際に、回転角度を指定する指定部を更に備え、
前記編集部は、
前記指定部において前記回転角度が指定された場合、指定された前記回転角度で前記画像データに対応した前記画像の前記天地方向を回転する、
請求項１から３のいずれか１項に記載の撮影装置。
【請求項５】
前記画像データを表示する表示部を更に備え、
前記画像データを前記外部機器に送出するのに先立って、前記画像データを前記表示部に表示することで、前記画像データに対応した前記画像の前記天地方向の回転要否を確認可能とする、
請求項１から４のいずれか１項に記載の撮影装置。
【請求項６】
前記編集部は、回転された画像の前記天地方向が正立方向となるように前記画像データに対応する前記画像を回転させる請求項１から３および請求項５のいずれか１項に記載の撮影装置。
【請求項７】
撮影機能を用いて撮影され、撮影時の天地方向を示すデータが付加されて保存された画像データを外部機器に送出するのに先立って、前記画像データに対応した前記画像の前記天地方向を回転し、
前記天地方向が回転された画像の画像データを前記外部機器に送出する画像転送方法。
【請求項８】
撮影装置のコンピュータに、
前記撮影装置が備える撮影機能を用いて撮影された画像の画像データに撮影時の天地方向を示すデータを付加して保存する付加機能と、
前記画像データを外部機器に送出するのに先立って、前記画像データに対応した前記画像の前記天地方向を回転する編集機能、
前記天地方向が回転された画像の画像データを前記外部機器に送出する送出機能
を実行させるプログラム。
【発明の詳細な説明】
【技術分野】
【０００１】
本発明は、デジタルカメラ機能付き携帯電話機やデジタルカメラなどに係り、撮影された画像のデータを、電子メールで送信したり、メモリカードなどの外部機器へ送出したりする撮影装置、画像転送方法、及びプログラムに関する。
【背景技術】
【０００２】
現在のデジタル写真（以下、画像データという）は、デジタルカメラ機能付き携帯電話機や、デジタルカメラなどで手軽に撮影でき、一般的なものとなっている。また、該画像データは、一般的に日本電子工業振興協会（ＪＥＩＤＡ）の策定したＥＸＩＦ型式（Exchangeable image file format）を以って電子ファイル化されている。【０００３】
さて、現代のデジタルカメラ機能付き携帯電話機や、デジタルカメラなどでは、カメラ機能と併せ、加速度センサ等を用いてカメラ機器の上下方向がどのような方向に向いているのかが分かる仕組みを持っているものがある。これにより撮影時の天地方向を検出し、撮影したＥＸＩＦ型式の画像データ内の特定箇所（ＯｒｉｅｎｔａｔｉｏｎＴａｇ内）にその天地方向を記録することが可能となっている。【０００４】
これにより、再生時にＯｒｉｅｎｔａｔｉｏｎＴａｇを参照することで、撮影時のカメラ機器の方向に合わせて画像データの天地を回転して表示することが可能となる。実際にも、その機能を利用して撮影時の天地方向を再現した表示を行なう表示機器がある。【０００５】
ところで、ＥＸＩＦ型式にて保存された画像データを表示する際、ＯｒｉｅｎｔａｔｉｏｎＴａｇ内に画像データの天地方向を示すデータがある場合、該データに応じて画像データを回転して表示することが適切な画像データの表示方法と言える。【０００６】
通常、加速度センサ等を用いて撮影時の天地方向を画像データのＯｒｉｅｎｔａｔｉｏｎＴａｇ内に格納するシステムにおいて、その撮影した画像データを表示する機能を併せて具備している際には、撮影時の天地方向をＯｒｉｅｎｔａｔｉｏｎＴａｇから読み出して適切に画像データが正立方向となるよう回転して表示を行なう。【０００７】
例えば、特許文献１では、ＥＸＩＦ型式ファイル内のＯｒｉｅｎｔａｔｉｏｎＴａｇに従った画像データの回転とそのＥＸＩＦ情報の再構築とに関する技術が提案されている。該技術では、主画像に対してＯｒｉｅｎｔａｔｉｏｎＴａｇに従って、回転や、各種補正を実施するシステムにおいて、その補正結果としての画像データの保存時に、ＥＸＩＦ型式ファイル内に通常格納されているサムネイル画像や、その他のＥＸＩＦパラメータを、主画像の回転や、補正を反映したものにアップデートして保存する。【０００８】
また、特許文献２では、適切な方向へ画像を回転するシステムが提案されている。このシステムでは、前述したＯｒｉｅｎｔａｔｉｏｎＴａｇに従った画像回転を含めての手順が示されており、画像をいかに正立方向へ回転させるかの技術が提案されている。【０００９】
また、特許文献３では、撮影画像の回転処理が記されており、天地情報に従って、画像を回転表示する技術が提案されている。また、特許文献４では、撮影後に画像をファイル化して保存する際に、画像の回転処理を行う技術が提案されている。
【先行技術文献】
【特許文献】
【００１０】
【特許文献１】日本特許第４２４６５１５号
【特許文献２】日本特開２００５−３４０９１８号公報
【特許文献３】日本特開平１０−１７３９８４号公報
【特許文献４】日本特開平１１−０９８４０６号公報
【発明の概要】
【発明が解決しようとする課題】
【００１１】
ところで、画像データを表示する機能を持つ全てのシステムが、ＯｒｉｅｎｔａｔｉｏｎＴａｇなどのＥＸＩＦ型式の画像データ内の特定箇所に記録された情報（天地方向）に従って、画像データに回転処理を施す機能を具備しているとは限らない。これらの非対応システムで、ＯｒｉｅｎｔａｔｉｏｎＴａｇに従って回転処理を行う対応システムで撮影、保存された画像データを表示しようとした際、適切な天地方向で表示できない場合があった。つまり、ＯｒｉｅｎｔａｔｉｏｎＴａｇの天地方向を反映することができない。【００１２】
図４は、ＯｒｉｅｎｔａｔｉｏｎＴａｇに従った画像回転が可能な対応システムと非対応システムとの間の差異を説明する概念図である。ＯｒｉｅｎｔａｔｉｏｎＴａｇを付加できるデジタルカメラを用いて、カメラ正位置で撮影した場合には、ＯｒｉｅｎｔａｔｉｏｎＴａｇを参照して画像を回転表示可能な対応システムでも、ＯｒｉｅｎｔａｔｉｏｎＴａｇに対応していない非対応システムでも、正位置で正しく表示できる。【００１３】
これに対して、ＯｒｉｅｎｔａｔｉｏｎＴａｇを付加できるデジタルカメラを用いて、カメラ縦位置で撮影した場合には、ＯｒｉｅｎｔａｔｉｏｎＴａｇを参照して画像を回転表示可能な対応システムでは、正位置でも縦位置でも正しく表示できるが、ＯｒｉｅｎｔａｔｉｏｎＴａｇに対応していない非対応システムでは、正位置で正しく表示できない。【００１４】
つまり、カメラ正位置で撮影された画像データを表示する場合には、ＯｒｉｅｎｔａｔｉｏｎＴａｇへ対応可能な対応システムと非対応システムとの間の差異は無いが、カメラ縦位置で撮影された画像データを表示する場合には、対応システムと非対応システムとの間で差異が出てくる。【００１５】
このように、上述した特許文献１から４では、ＯｒｉｅｎｔａｔｉｏｎＴａｇに従った画像データに対する回転機能を具備している対応システムでは問題はないが、対応システムで撮影、保存した画像を、非対応システム（外部の画像表示装置など）で表示しようとした場合には、適切な天地方向で表示できないという問題があった。【００１６】
本発明は、このような事情を考慮してなされたものであり、その目的は、天地方向が記録されている画像データを、画像回転機能に対応していない撮影装置外の機器へ送出する場合であっても、適切な天地方向で表示させることができる撮影装置、画像転送方法、及びプログラムを提供することにある。
【課題を解決するための手段】
【００１７】
上述した課題を解決するために、本発明は、撮影部と、前記撮影部を用いて撮影された画像の画像データに撮影時の天地方向を示すデータを付加して保存する付加部と、前記画像データを外部機器に送出する送出部と、前記画像データを前記外部機器に送出するのに先立って、前記画像データに対応した前記画像の前記天地方向を回転する編集部とを備える撮影装置である。【００１８】
また、上述した課題を解決するために、本発明は、撮影機能を用いて撮影され、撮影時の天地方向を示すデータが付加されて保存された画像データを外部機器に送出するのに先立って、前記画像データに対応した前記画像の前記天地方向を回転し、前記天地方向が回転された画像の画像データを前記外部機器に送出する画像転送方法である。【００１９】
また、上述した課題を解決するために、本発明は、撮影装置のコンピュータに、前記撮影装置が備える撮影機能を用いて撮影された画像の画像データに撮影時の天地方向を示すデータを付加して保存する付加機能と、前記画像データを外部機器に送出するのに先立って、前記画像データに対応した前記画像の天地方向を回転する編集機能、前記天地方向が回転された画像の画像データを前記外部機器に送出する送出機能を実行させるプログラムである。
【発明の効果】
【００２０】
この発明では、天地方向が記録されている画像データを、画像回転機能に対応していない撮影装置外の機器へ送出する場合であっても、当該送出先において適切な天地方向で表示させることができる。
【図面の簡単な説明】
【００２１】
【図１】本発明の実施形態に係るデジタルカメラ機能付き携帯電話機の構成例を示すブロック図である。
【図２】本実施形態に係るデジタルカメラ機能付き携帯電話機の動作を説明するためのフローチャートである。
【図３】本実施形態の操作画面の具体例を説明するための模式図である。
【図４】ＯｒｉｅｎｔａｔｉｏｎＴａｇに従った画像回転が可能な対応システムと非対応システムとの間の差異を説明する概念図である。
【発明を実施するための形態】
【００２２】
以下、本発明の一実施形態を、図面を参照して説明する。なお、加速度センサを搭載し撮影時のカメラ方向を判別でき、その結果をＥＸＩＦ型式の画像データとして保存できるシステム構成、及び画像表示システムは、当業者にとってよく知られており、また本発明とは直接関係しないので、その詳細な構成は省略する。
【００２３】
図１は、本発明の実施形態に係るデジタルカメラ機能付き携帯電話機の構成例を示すブロック図である。図１において、情報処理部１０は、デジタルカメラ機能付き携帯電話機の各部の動作を制御する。該情報処理部１０には、情報処理を行う電子計算機と、扱う情報の一時記憶を行うメモリとが含まれる。映像センサ（カメラ）部１１は、電子撮像素子や、レンズを持つカメラ機能を提供する。映像センサ（カメラ）部１１で撮影された画像は、情報処理部１０の制御の下、当該情報処理部１０へ送られる。
【００２４】
加速度センサ部１２は、３軸あるいは２軸方向、それぞれにかかる加速度を検知することで、該デジタルカメラ機能付き携帯電話機の天地方向を示す方向データを取得する。これにより、撮影時の該デジタルカメラ機能付き携帯電話機の天地方向、すなわち撮影した画像データの天地方向が分かるようになっている。
【００２５】
加速度センサ部１２で検知された方向データは、情報処理部１０に供給される。この結果、情報処理部１０は、撮影した画像データをＥＸＩＦ型式へ変換し、そのＯｒｉｅｎｔａｔｉｏｎＴａｇ内へ撮影時の方向データ（撮影時のデジタルカメラ機能付き携帯電話機の天地方向、すなわち画像データの天地方向）を付加することができる。
【００２６】
プログラム格納部１３は、情報処理部１０において実行されるプログラムを格納している。情報処理部１０は、該プログラム格納部１３からプログラムを読み込み実行することで動作を行う。データ格納部１４は、情報処理部１０から供給される、ＥＸＩＦ型式の画像を保存する。また、データ格納部１４に保存されている画像データは、情報処理部１０からの読み出し指令に応じて読みだされる。
【００２７】
出力部１５は、ディスプレイ装置からなり、情報処理部１０から供給される画像や、文字などのデータを表示する。入力部１６は、シャッターボタンなどのボタン類や、ダイヤル、タッチパネルなどを以って、人間の操作に基づく指令を受け取る。通信機能部１７は、携帯電話機の無線機能を担っており、無線ネットワークにアクセスして音声通信や、データ通信などを行う。
【００２８】
図２は、本実施形態に係るデジタルカメラ機能付き携帯電話機の動作を説明するためのフローチャートである。操作者から撮影装置（すなわち、デジタルカメラ機能付き携帯電話機）外へ画像を送出する指令が入力部１６を介して入力されると、図２に示すフローチャートが実行される。まず、撮影装置外へ送出することが決定された画像データにおけるＯｒｉｅｎｔａｔｉｏｎＴａｇの有無を確認し（ステップＳ１０）、ＯｒｉｅｎｔａｔｉｏｎＴａｇを取得することができたか否かを判定する（ステップＳ１１）。そして、画像がＥＸＩＦ型式でない場合など、ＯｒｉｅｎｔａｔｉｏｎＴａｇが取得できない場合には（ステップＳ１１のＮＯ）、回転処理を施すことなく、画像データを撮影装置外へ送出する（ステップＳ１５）。
【００２９】
一方、ＯｒｉｅｎｔａｔｉｏｎＴａｇを取得することができた場合には（ステップＳ１１のＹＥＳ）、対象となる画像データをＯｒｉｅｎｔａｔｉｏｎＴａｇに記録された天地方向に従って出力部１５に表示し（ステップＳ１２）、入力部１６から回転方向が指定されたか否かを判定する（ステップＳ１３）。
【００３０】
ここで、操作者は、ＯｒｉｅｎｔａｔｉｏｎＴａｇに従った正立方向への回転補正（ＯｒｉｅｎｔａｔｉｏｎＴａｇが示す天地方向の示す画像位置が真上にくるように画像データを回転して新たにその画像を保存する処理）を画像データに対して行なうか、指定の角度での回転を行なうか、もしくは回転を行なわないかの指定が可能である。なお、回転を行わない場合とは、撮影装置外へ画像を送出した場合でもＯｒｉｅｎｔａｔｉｏｎＴａｇを解釈する対応システムでの利用が見込まれているなど、回転が不要な場合を想定している。
【００３１】
また、通常、ＯｒｉｅｎｔａｔｉｏｎＴａｇに従った回転処理を施すことで目的を達成できるが、ＯｒｉｅｎｔａｔｉｏｎＴａｇに記録された天地方向が間違っていた場合や、構図的に問題のある回転となっている場合を考慮し、指定の角度での回転も選択できるようにしている。
【００３２】
そして、操作者から回転を行なわない旨が指定された場合には（ステップＳ１３の「回転しない」）、回転処理を施すことなく、画像データを撮影装置外へ送出する（ステップＳ１５）。
【００３３】
一方、操作者が、ＯｒｉｅｎｔａｔｉｏｎＴａｇに従って正立方向への回転を行なうか、あるいは指定の角度での回転を行なう旨を指示した場合には（ステップＳ１３の「ＯｒｉｅｎｔａｔｉｏｎＴａｇ準拠で回転ｏｒ回転方向（回転角度）指定」）、指定された内容に従って、実際に画像データに対して回転処理を施し、ＥＸＩＦ型式に従って、実施した回転処理に伴って更新が必要な情報（サムネイル画像や、ＯｒｉｅｎｔａｔｉｏｎＴａｇなど）を再構築し、新ＥＸＩＦ情報として回転処理を施した画像データに付加し（ステップＳ１４）、該画像データを撮影装置外へ送出する（ステップＳ１５）。
【００３４】
図３は、本実施形態の操作画面の具体例を説明するための模式図である。図３には、メール送信や、メモリカードへの書き込みなど、撮影装置外へ撮影した画像データを送出する操作を実施した際の、カメラ機能付き携帯電話機での操作画面例を示している。
【００３５】
操作者から撮影装置外へ画像を送出する指令が入力部１６を介して入力されると、ＯｒｉｅｎｔａｔｉｏｎＴａｇの有無を確認し、送出しようとした画像データを正立表示するために回転処理が必要と判定された場合の操作画面となる（ステップＳ３１）。ここでは、画像データを他の機器（非対応システム）でも正立方向で表示できるよう、回転処理を行うかどうかの選択を可能としている。
【００３６】
ステップＳ３１に示す操作画面で、［はい］が指定され、回転を行なう場合には、ステップＳ３２に進み、［いいえ］が指定され、回転を行なわない場合には、回転処理や、ＥＸＩＦ情報を更新することなく、そのまま画像データを送出する。
【００３７】
回転処理を行う選択をされた場合には、回転方向を指定するための操作画面となる（ステップＳ３２）。ここでは、ＯｒｉｅｎｔａｔｉｏｎＴａｇに従った回転（１：撮影時方向）、及び任意方向への回転（２：右９０度、３：左９０度、４：１８０度）を選択することが可能となっている。併せて、その回転についての事前確認を行うことができる操作（９ボタン）も可能としている。
【００３８】
そして、ステップＳ３２に示す操作画面で、ＯｒｉｅｎｔａｔｉｏｎＴａｇに従った回転（１：撮影時方向）、または任意方向への回転（２：右９０度、３：左９０度、４：１８０度）が指定された場合には、指定された回転処理を実行していることを示す操作画面となる（ステップＳ３３）。
【００３９】
回転処理が終了すると、回転処理を行った画像データの保存方法を指定するための操作画面となる（ステップＳ３４）。ここでは、回転処理を行った画像データを元の画像データと置き換えて保存する上書き保存（［上書］）、もしくは別に新たな画像データとして保存する別保存（［別保存］）の選択を可能としている。
【００４０】
いずれの場合でも、回転処理後の画像データに合わせてＥＸＩＦ情報の更新を行い、その更新情報を以って画像データを保存し、処理後の画像データを他の機器へ送出する。
【００４１】
なお、上述した実施形態において、その基本的構成は上記の通りであるが、画像データの回転時には、画像の大きさや、ファイルサイズの変換も併せて行えるようにしてもよい。この場合、送出する画像データのサイズを縮小することが可能となり、無線ネットワークの負荷や、送出先のシステム負荷、保存容量などを軽減することが可能となる。
【００４２】
また、画像データの回転処理は、ＯｒｉｅｎｔａｔｉｏｎＴａｇに完全に従う自動回転処理としてもよく、操作者の指定を省くようにしてもよい。この自動化については、自動回転処理を行うか否かを設定できるようにしてもよい。
【００４３】
また、ＥＸＩＦ型式では、画像データの回転に関わるＯｒｉｅｎｔａｔｉｏｎＴａｇ以外にも、撮影日時や、撮影時の場所、画像の大きさ、サムネイル画像、あるいは自由なコメント文の付加など、画像データと併せて記録する仕様があるので、それらの情報の付加や、アップデート情報などを、回転処理後の画像データに新ＥＸＩＦ情報として記録することも可能である。
【００４４】
また、回転処理後の送出する画像データに対し、色調や明度など、画像補正処理を施した後に送出するようにしてもよい。
【００４５】
また、送出先がＯｒｉｅｎｔａｔｉｏｎＴａｇを参照して自動回転を行う対応システムと分かっている場合には、実際に画像データを回転するのでは無く、ＯｒｉｅｎｔａｔｉｏｎＴａｇに従った天地方向の付け替えのみで、送出する画像データの回転を制御する構成としてもよい。
【００４６】
また、上述した実施形態では、デジタルカメラ機能付き携帯電話機としているが、通信機能部１７を省いた通常のデジタルカメラであってもよい。
【００４７】
また、加速度センサ部１２は、撮影時の方向が分かるセンサであれば、別構成としても構わない。
【００４８】
さらには、データ格納部１４は、本体とは分離可能なメモリカードとしてもよいし、メモリカードをデータ格納部１４と併せ持つ構成としてもよい。
【００４９】
上述した実施形態では、ＥＸＩＦ型式ファイルにて保存された画像データを、その撮影装置の外部へ送り出す場合に、正立方向となるように回転させてから外部へ送り出すようにした。このため、ＯｒｉｅｎｔａｔｉｏｎＴａｇに対応していない非対応システムにおいても、本撮影装置から送出された画像データを正立方向で表示することができる。
【００５０】
より具体的には、上述した実施形態は以下の効果を奏する。
第１の効果は、撮影した画像データを外部機器へ送り出す場合、ＯｒｉｅｎｔａｔｉｏｎＴａｇを参照した自動回転処理へ対応していないシステム上でも正常な天地方向で画像データを表示できるように、予め画像の回転や、画像情報等の補正を行う必要性を判断し、必要であれば、回転機能や補正機能の実行を促すことができる。
【００５１】
第２の効果は、撮影した画像データを、予め撮影時の天地方向、あるいは任意の方向へ回転した画像データに変換して端末外へ送出することで、ＥＸＩＦ型式のＯｒｉｅｎｔａｔｉｏｎＴａｇを参照した自動回転処理に対応していない非対応システム上においても、撮影時の天地方向で画像データの表示が可能となる。
【００５２】
第３の効果は、ＯｒｉｅｎｔａｔｉｏｎＴａｇ情報に従わない任意方向への回転を可能とした。このため、誤ったＯｒｉｅｎｔａｔｉｏｎＴａｇ情報に基づく誤回転をも修正可能となる。
【００５３】
第４の効果は、予めＯｒｉｅｎｔａｔｉｏｎＴａｇを参照して自動回転可能な対応システムに向けての送出を考慮し、回転しないことを選択可能としている。このため、ＥＸＩＦ型式で一般的なＪＰＥＧ（Joint Photographic Experts Group）方式での伸張／再圧縮に起因する画像劣化を起こさない選択が可能となる。
【００５４】
以上、実施形態を参照して本発明を説明したが、本発明は上述した実施形態に限定されるものではない。本発明の構成や詳細には、本発明の範囲内で当業者が理解し得る様々な変更を加えることができる。
【００５５】
この出願は、２０１０年９月２２日に出願された日本出願特願２０１０−２１１８０５号を基礎とする優先権を主張し、その開示の全てをここに取り込む。
【産業上の利用可能性】
【００５６】
本発明は、例えば、デジタルカメラ機能付き携帯電話機やデジタルカメラに利用可能である。本発明によれば、天地方向が記録されている画像データを、画像回転機能に対応していない撮影装置外の機器へ送出する場合であっても、当該送出先において適切な天地方向で表示させることができる。
【符号の説明】
【００５７】
１０  情報処理部
１１  映像センサ（カメラ）部
１２  加速度センサ部
１３  プログラム格納部
１４  データ格納部
１５  出力部
１６  入力部
１７  通信機能部
【図１】
2012039311.tif 000003
【図２】
2012039311.tif 000004
【図３】
2012039311.tif 000005
【図４】
2012039311.tif 000006
【国際調査報告】
2012039311.tif 000007
2012039311.tif 000008